(57)【要約】ビデオデータ要素とメタデータ要素をもった入力データの流れに選択的に地域メタデータを挿入するデータ修正システム及び方法。データ修正システムは入力データ端子、地域データ端子、及び前記入力データ端子と地域データ端子の結合されたデータ修正ユニットを含み、前記データ修正ユニットは前記入力データ端子と地域データ端子からのデータを選択的に結合するように構成される。前記方法は、第１のデータ要素と第２のデータ要素を含むデータ信号を受けること、前記第１のデータ要素を前記第２のデータ要素から分離すること、前記第２のデータ要素を修正するか否かを決めること、第３のデータ要素を検索すること、前記第２のデータ要素を修正するか否かを決めること、第３のデータ要素をデータベースから検索すること、前記第３のデータ要素と前記第１のデータ要素を併合すること、及び前記第３のデータ要素と第１のデータ要素を出力すること、を含む。
2004507123.tif 000002
【特許請求の範囲】
【請求項１】
入力データ端子；
地域データ端子；
データ分配端子；及び
前記入力データ端子、地域データ端子、及びデータ分配端子に結合されたデータ修正ユニットを含み、
前記データ修正ユニットが前記入力データ端子と前記地域データ端子からのデータを命令のセットに従って選択的に結合するように構成されている、データ修正装置。
【請求項２】
前記データ修正ユニットが、
データストリッパ；
前記命令のセットを実行するように構成された処理装置；及び
インサータ；
を含む、請求項１に記載のデータ修正装置。
【請求項３】
前記データストリッパが前記入力データ端子に結合され、前記処理装置が前記地域データ端子に結合され、前記データ挿入ユニットが前記データ分配端子に結合されている、請求項２に記載のデータ修正装置。
【請求項４】
前記入力データ端子が放送源からデータ信号を受けるように構成される、請求項１に記載のデータ修正装置。
【請求項５】
前記入力データ端子がＴＣＰ−ＩＰ基準に従ったデータ信号を受けるように構成される、請求項１に記載のデータ修正装置。
【請求項６】
前記入力データ端子がＡＴＶＥＦ基準に従ったデータ信号を受けるように構成される、請求項１に記載のデータ修正装置。
【請求項７】
前記入力データ端子がＤＯＣＳＩＳ基準に従ったデータ信号を受けるように構成される、請求項１に記載のデータ修正装置。
【請求項８】
前記放送源がＮＴＳＣ方式である、請求項４に記載のデータ修正装置。
【請求項９】
前記放送源がＭＰＥＧ２方式である、請求項４に記載のデータ修正装置。
【請求項１０】
前記放送源がＨＤＴＶ方式である、請求項４に記載のデータ修正装置。
【請求項１１】
前記放送源がＤＶＤ方式である、請求項４に記載のデータ修正装置。
【請求項１２】
前記放送源がＤＢＳ方式である、請求項４に記載のデータ修正装置。
【請求項１３】
前記データ信号がビデオデータ要素とメタデータ要素を含む、請求項４に記載のデータ修正装置。
【請求項１４】
前記地域データ端子が格納装置からデータ信号を受けるように構成されている、請求項１に記載のデータ修正装置。
【請求項１５】
前記格納装置が記録可能なディスクである、請求項１４に記載のデータ修正装置。
【請求項１６】
前記格納装置がＲＡＭである、請求項１４に記載のデータ修正装置。
【請求項１７】
前記格納装置がコンピュータのデータベースである、請求項１４に記載のデータ修正装置。
【請求項１８】
前記データ分配端子がデータ信号を分配チャネルに伝送するように構成されている、請求項１に記載のデータ修正装置。
【請求項１９】
前記データストリッパが入力信号をビデオデータ要素とメタデータ要素に分離するように構成される、請求項２に記載のデータ修正装置。
【請求項２０】
前記処理装置が再プログラム可能な装置である、請求項２に記載のデータ修正装置。
【請求項２１】
前記処理装置がＡＳＩＣである、請求項２に記載のデータ修正装置。
【請求項２２】
更に、入力データ端子と地域データ端子からの結合されたデータを表示するのに適した受信装置を含む、請求項１に記載のデータ修正装置。
【請求項２３】
前記受信装置がＮＴＳＣの可能なテレビジョンである、請求項２２に記載のデータ修正装置。
【請求項２４】
前記受信装置がＨＤＴＶの可能なテレビジョンである、請求項２２に記載のデータ修正装置。
【請求項２５】
前記受信装置がＭＰＥＧ２の可能なテレビジョンである、請求項２２に記載のデータ修正装置。
【請求項２６】
前記受信装置がＤＶＤの可能なテレビジョンである、請求項２２に記載のデータ修正装置。
【請求項２７】
前記受信装置がＤＢＳの可能なテレビジョンである、請求項２２に記載のデータ修正装置。
【請求項２８】
ビデオデータ要素とメタデータ要素を含む入力データの流れに地域メタデータを選択的に挿入するデータ修正システムにして、
入力データ端子；
地域データ端子；及び
前記入力データ端子と地域データ端子に結合されたデータ修正ユニット；
を含み、前記データ修正ユニットが前記入力データ端子と地域データ端子からのデータを選択的に結合するに適している、前記データ修正システム。
【請求項２９】
前記データ修正ユニットが、
データ分配端子；
前記入力データ端子に結合されたデータストリッパ；
前記地域データ端子に結合された処理装置；及び
前記データ分配端子に結合されたデータ挿入ユニット；
を含む、請求項２８に記載のデータ修正システム。
【請求項３０】
前記処理装置が命令のセットを実行するに適した、請求項２９に記載のデータ修正システム。
【請求項３１】
選択的にデータ信号を修正する方法にして、
第１のデータ要素と第２のデータ要素を含むデータ信号を受けること；
前記第２のデータ要素から前記第１のデータ要素を分離すること；
前記第２のデータ要素を修正するか否かを決めること；
データベースから第３のデータ要素を受けること；
前記第３のデータ要素を前記第１のデータ要素に併合すること；及び
前記第３のデータ要素と第１のデータ要素を分配端子に出力すること；
を含む、前記方法。
【請求項３２】
前記第１のデータ要素がビデオ要素を含み、前記第２のデータ要素がメタデータ要素を含む、請求項３１に記載の方法。
【請求項３３】
前記第２のデータ要素を修正するか否かを決めることが、処理装置にプログラムされた論理機能である、請求項３１に記載の方法。
【請求項３４】
前記処理装置が再プロラム可能な回路である、請求項３３に記載の方法。
【請求項３５】
前記処理装置がＡＳＩＣである、請求項３３に記載の方法。
【請求項３６】
前記第３のデータ要素が前記第２のデータ要素に置換される、請求項３１に記載の方法。
【請求項３７】
前記第３のデータ要素が地域メタデータ要素である、請求項３１に記載の方法。
【請求項３８】
データ信号を選択的に修正する方法において、
第１のデータ要素と第２のデータ要素を含むデータ信号を受けること；
前記第１のデータ要素を前記第２のデータ要素から分離すること；
前記第２のデータ要素を修正するか否かを決めること；
もし前記第２のデータ要素の修正が要求されないときは、
前記第２のデータ要素を送ること；
前記第２のデータ要素に前記第１のデータ要素を併合すること；及び
前記第２のデータ要素と前記第１のデータ要素を分配端子に出力すること；
もし前記第２のデータ要素の修正が要求されるときは、
データベースから第３のデータ要素を受けること；
前記第３のデータ要素を送ること；
前記第３のデータ要素と前記第１のデータ要素を併合すること；及び
前記第３のデータ要素と前記第１のデータ要素を分配端子に出力すること；
を含む前記方法。
【請求項３９】
前記第１のデータ要素がビデオデータ要素を含み、前記第２のデータ要素がメタデータ要素を含み、前記第３のデータ要素が地域メタデータ要素を含む、請求項３８に記載の方法。
【請求項４０】
前記第１のデータ要素が前記第２のデータ要素に置換される、請求項３８に記載の方法。
【請求項４１】
ビデオデータ要素とメタデータ要素をもつデータの流れに地域メタデータを挿入するデータ修正システムにして、
前記ビデオデータ要素を前記メタデータ要素から分離するように作動するデータストリッパ；
前記地域メタデータを格納するデータ格納装置；
前記データ格納装置と前記データストリッパに結合され、前記メタデータ要素を前記地域メタデータに置換するか否かを選択的に決めるように作動する処理装置；及び
前記処理装置に結合され、前記メタデータ要素を前記地域メタデータと置換するように作動するデータ挿入ユニット；
を含む、前記データ修正システム。
【請求項４２】
ビデオデータ要素とメタデータ要素をもつデータの流れに地域メタデータを選択的に挿入するデータ修正システムにして、
前記ビデオデータ要素を前記メタデータ要素から分離する手段；
前記地域メタデータを格納する手段；
前記メタデータ要素を前記地域メタデータに置換するか否かを決定する手段；及び
前記メタデータ要素を前記地域メタデータと置換する手段；
を含む、前記データ修正システム。
【請求項４３】
データ信号を選択的に修正する方法を実行するコンピュータ処理可能な命令をもったコンピュータで読取可能な媒体にして、前記方法が；
第１のデータ要素と第２のデータ要素を含むデータ信号を受けること；
前記第１のデータ要素を前記第２のデータ要素から分離すること；
前記第２のデータ要素を修正するか否かを決めること；
もし前記第２のデータ要素の修正が必要でないときは、
前記第２のデータ要素を送ること；
前記第２のデータ要素を前記第１のデータ要素と併合すること；及び
前記第２のデータ要素と前記第１のデータ要素を分配端子に出力し；
もし前記第２のデータ要素の修正が必要であるときは、
第３のデータ要素をデータベースから受けること；
前記第３のデータ要素を送ること；
前記第３のデータ要素と前記第１のデータ要素を併合すること；及び
前記第３のデータ要素と前記第１のデータ要素を分配端子に出力すること、
を含む、前記コンピュータで読取可能な媒体。
【発明の詳細な説明】
【０００１】
（発明の分野）
本発明は相互作動する、強化されたテレビジョンシステムに関し、更に詳細には地域データ内容を地方または国内において相互作動（ｉｎｔｅｒａｃｔｉｖｅ）するテレビジョン放送に組み入れることに関する。
【０００２】
（発明の背景）
新しい基準が、インターネットに基づく強化された内容をテレビジョン媒体を介して伝達することを実際化せんとしている。進歩したテレビジョン強化フォーラム（Ａｄｖａｎｃｅｄ Ｔｅｌｅｖｉｓｉｏｎ Ｅｎｈａｎｃｅｍｅｎｔ Ｆｏｒｕｍ）（ＡＴＶＥＦ）は相互作動する強化されたテレビジョン事象（ｅｘｐｅｒｉｅｎｃｅ）を伝達するための一つの公共基準を特定するために形成された産業間集団（ｃｒｏｓｓ−ｉｎｄｕｓｔｒｙ ｇｒｏｕｐ）である。進行中の相互協力の努力の最初の成果がＡＴＶＥＦ仕様 ｖ１．１ｒ２６に記載されている。その内容を参照として本願に組み入れる。ＡＴＶＥＦ仕様はまたｈｔｔｐ：／／ｗｗｗ．ａｔｖｅｆ．ｃｏｍ／ｌｉｂｒａｒｙ／ｓｐｅｃ１＿１ａ．ｈｔｍｌで見られる。ＡＴＶＥＦ仕様は相互作動するテレビジョン内容を各種ツールを用いて創造し、各種テレビジョン、セット・トップ及びＰＣベースの受信機に展開されるようにする。相互作動するテレビジョン産業が新しい応用を開発し続ける限り、ＡＴＶＥＦ基準は拡張し続けるであろう。
【０００３】
ＡＴＶＥＦ仕様はパーソナル・コンピュタと従来のテレビジョン受信機の統合を促進している。消費者が最終的にはパソコンの相互作動能力と融通性とに結合された、テレビジョンの広範な利用性と容易使用性をもった単一の装置を持つことが予測される。ＡＴＶＥＦはアナログ（ＮＴＳＣ）及びデジタル（ＡＴＳＣ）テレビジョン放送を含む各種の媒体及び無線、ケーブル、衛星及びインターネットを含む各種回路網型式に送られる強化された内容を創造するため使用される基準を画定する。
【０００４】
何れの強化されたテレビジョン内容が良いかを画定するのに加えて、ＡＴＶＥＦ仕様はまたその内容をどの様にして放送局から受信者に伝送するか、及びその内容に使用者がアクセスできる強化部分があることを受信者はどの様にして知らされるかを画定する。強化されたＴＶ内容の表示は基本的な２つの工程、すなわちデータ源（例えばＨＴＭＬページ）の送付及びトリガにより同期された命名されたデータ源の表示、の工程を含む。トリガは強化された内容の場所への連結を与える。“搬送型式Ａ”及び“搬送型式Ｂ”と名付けられた２つの搬送モデルが一方向及び／又は２方向通信により使用者と係合する回路網の能力を限定する。
【０００５】
一般に、搬送型式Ａのモデルは前方向通路によるトリガの送付及び所要の戻り通路によるデータの引き抜き用である。搬送型式Ｂは戻り通路を任意に用いながら、前方向通路によりトリガ及びデータの両者を送付するためのものである。特定され強化されたテレビジョン受信機は通常相互作動のテレビジョンプログラムを表示することが要求される。
【０００６】
搬送型式Ａはインターネットとの接続（一般に裏チャネルまたは戻り通路と呼ばれる）を維持するＡＴＶＥＦ受信機用に画定される。一般にこの回路網接続はダイヤル接続（ｄｉａｌ−ｕｐ）モデムにより与えられるか、または任意の型式の双方向アクセス・チャネル（例えばケーブルモデム、ＤＳＬ，ＴＩ，ＩＳＤＮ，衛星等）により与えられる。搬送型式Ａは追加の内容の無い、トリガのみを送付する方法である。搬送型式Ａで送付される内容は無く、全ての追加のデータはトリガと共に渡されるＵＲＬを追加データのポインタとして用いて裏チャネルを介して獲得しなければならない。例えば、トリガのＵＲＬを用いると、内容は前述の回路網接続の１つを介してインターネットから引き出される。
【０００７】
一方搬送型式Ｂは、ＡＴＶＥＦトリガと関連する内容の同時送付を提供する。このモデルにおいては、放送局は内容を使用者の受信機に送り込む。受信機はそこでその内容を後のアクセスのために格納する。搬送型式Ｂはトリガを内容の流れに関連付けるため回路網により送付される通知（ａｎｎｏｕｎｃｅｍｅｎｔ）を使用する。一般に、通知は内容の流れを記載し、波長帯域、格納要求、及び言語（強化（ｅｎｈａｎｃｅｍｅｎｔｓ）は各種の言語で送付される）に関する情報を含むこともある。搬送型式Ｂの受信機は表示される任意の内容を格納するので、受信機は通知情報を内容の格納を決めるために使用する。例えば、もし内容の流れが特定の受信機で利用できるより多くの格納場所を必要とするならば、受信機はある古い内容を廃棄するように選択してもよく、あるいは新しく通知された内容の流れを格納しないように選択しても良い。受信機は局所的格納能力の量を変更するように構成することもできる。
【０００８】
単一のビデオプログラムが搬送型式Ａのデータ（例えば放送データトリガ）と搬送型式Ｂのデータ（例えばＩＰ）の両者を同時に含むこともあることを注意すべきである。このシナリオはもっとも広い範囲の受信者及び顧客を対象とするのに都合が良い。従って、ＩＰベースの受信機と放送データトリガのみを受ける受信機の両者が同じ情報にアクセスすることができる。受信機はただＩＰベースのトリガの流れを支持し、放送データトリガを無視するように、あるいはＩＰベーストリガの存在しないとき放送データトリガを支持し、または放送データトリガとＩＰベースのトリガを同時に支持するように構成することができる。
【０００９】
ＡＴＶＥＦ“規制（ｂｉｎｄｉｎｇ）”はＡＴＶＥＦが特定の回路網でどのように実行（ｒｕｎ）するかを画定する。上記規制は輸送型式ＡとＢの何れか、または両者を支持してもよい。各回路網に１つの標準規制を設け、受信機と放送設備とを独立に開発できるようにすることが必要である。ＡＴＶＥＦ規制は回路網仕様が全ての必要な情報を含んでいないときに、回路網仕様とＡＴＶＥＦ仕様の間の関連を与える。このように、ＡＴＶＥＦが放送回路網と受信機の間の相互協同性を与えるためには各物理的回路網が唯１つの規制をもつことが重要である。加えて、各規制が放送回路網仕様とＡＴＶＥＦ仕様の間の境界の充分に納得性のある規定を与えることが同様に重要である。
【００１０】
ＡＴＶＥＦはＩＰ（インターネット・プロトコール）マルチキャスト（ｍｕｌｔｉｃａｓｔｓ）やＮＴＳＣ（国家テレビジョン・システム委員会（Ｎａｔｉｏｎａｌ Ｔｅｌｅｖｉｓｉｏｎ Ｓｙｓｔｅｍ Ｃｏｍｍｉｔｔｅｅ））システムにデータを送付する規制を画定した。ＩＰの伝達は既にテレビジョン放送回路網の各型式について事実上（ｖｉｒｔｕａｌｌｙ）画定されているので、ＩＰへの規制は参照規制と考えられる。この参照規制をもって、新しい回路網についてのＡＴＶＥＦ規制の画定はどのようにＩＰをその回路網上で実行するかの仕様に基づいている。
【００１１】
規制の機構を説明するため、ＮＴＳＣビデオ型式についてのＡＴＶＥＦの規制を考える。ここでＮＴＳＣ規制は、ＡＴＶＥＦトリガが垂直ブランキング期間（ＶＢＩ）の線２１で放送されるＮＴＳＣ特定方法を用いた搬送型式Ａを画定する。一方搬送型式Ｂは、他のＶＢＩ線上でＩＰデータ（ｄａｔａｇｒａｍｓ）を送付するようにＩＰ参照規制（ＩＰ ｒｅｆｅｒｅｎｃｅ ｂｉｎｄｉｎｇ）を用いる。
【００１２】
搬送型式Ｂのテレビジョン強化は３つの関連するデータ源、すなわち通知（会議通知（ｓｅｓｓｉｏｎ ａｎｎｏｕｎｃｅｍｅｎｔ）プロトコール（ＳＡＰ）により送付される）、内容（１方向ハイパテキスト転送プロトコール（ｕｎｉｄｉｒｅｃｔｉｏｎａｌ ｈｙｐｅｒｔｅｘｔ ｔｒａｎｓｆｅｒ ｐｒｏｔｏｃｏｌ）（ＵＨＴＴＰ）により送付される）、及びトリガ（トリガ・プロトコールにより使用者データ・プロトコール（ＵＤＰ）に送付される）のデータ源を含む。通知は、現在利用可能なプログラムを受信機に知らせるのに使用され、単一の周知のマルチキャスト（ｍｕｌｔｉｃａｓｔ）アドレス及びポート上に放送され、それらは有効な時間期限をもつ。通知はまたマルチキャスト・アドレスとポート番号を指示し、顧客はそれを聞いてその内容とトリガを受けとる。通知の詳細と通知プロトコールはＡＴＶＥＦ仕様書の第３．１．１節に記載されている。
【００１３】
トリガは、強化されたＴＶプログラムのＳＤＰ通知に画定されるアドレスやポートに送付されるＩＰマルチカスト・パケット内の実時間事象の放送である。一般に、顧客が既知のアドレスやポート上の新しい通知を見るとき、その顧客は与えられた内容とトリガアドレスに利用できるデータが存在することを知る。トリガはまた受信機に入力される内容の強化を警告するのに使用される機構である。他の情報の中に、各トリガは強化された内容の場所を特定する標準のＵＲＬを含む。ＡＴＶＥＦ内容は地域的に配置され（例えば放送回路網上に送付され、あるいはディスクに格納され）、またはインターネット上、他の公共回路網上、または私的な回路網（ＬＡＮ／ＷＡＮ）に置かれても良い。トリガはＡＴＶＥＦ仕様の第１．１．５節に詳細に記載されている。
【００１４】
放送は強化された情報とプログラムを視聴者に提供するのにＡＴＶＥＦに基づくシステムの特徴を利用することができるが、全ての最終使用者に同一の内容を送ることは殆ど実際的でない。例えば、特定の国内テレビジョン放送に関連した広告、及び他の宣伝的内容は全ての観察市場や地方に均等に適用されるものでない。従って、強化されたテレビジョン放送のある情報は放送分配の各種の点において修正または置換し、地方及び／又は地域の放送局が放送をその地方の市場に合わして調整することを許すことが望ましい。
【００１５】
（発明の概要）
１つの態様において、選択的にデータを修正する装置と方法が開示されている。第１の実施例において、装置は入力データ端子、地域データ端子、データ分配端子、及びデータ修正ユニットを含む。前記データ修正ユニットは、前記入力データ端子、地域データ端子、及びデータ分配端子に結合され、選択的に前記入力データ端子及び地域データ端子からのデータを命令セットに従って結合するように構成される。好ましくは、データ修正ユニットはデータストリッパ、前記命令セットを実行するように構成された処理装置、及びインサータを含む。
【００１６】
さらに他の実施例においては、データ修正システムは選択的に地域メタデータを入力データの流れに挿入するように構成される。ここで、入力データ流れはビデオデータ要素と、メタデータ要素を含む。
【００１７】
更に他の実施例において、第１のデータ要素と第２のデータ要素を含むデータ信号を選択的に修正する方法は、前記第１のデータ要素を第２のデータ要素から分離すること、前記第２のデータ要素を修正すべきか否かを決定すること、データベースから第３のデータ要素を検索すること、前記第３のデータ要素を前記第１のデータ要素と組合すこと、及び前記第３のデータ要素と前記第１のデータ要素を出力すること、を含む。
【００１８】
当業者には明らかなように、各種の他の実施例や態様が以下の記載及び請求項から明らかになるであろう。
【００１９】
添付図面は本発明の好ましい実施例の設計及び有用性を説明するものである。
【００２０】
（詳細な説明）
以下に使用される用語“メタデータ（ｍｅｔａ ｄａｔａ）”は任意の型式の強化されたテレビジョン内容を指す。用語“地域メタデータ（ｌｏｃａｌ ｍｅｔａ ｄａｔａ）”は放送の発生点と異なる点においてビデオ放送に付加される強化されたテレビジョン内容を指す。図１は本発明により構成されたメタデータ置換システム１００が全国的に放送されるテレビジョンプログラムに地域メタデータを挿入するためどのように作動するかを説明する図面である。国営放送局５０はそのプログラム信号１１０を衛星５５に送信する。そこで信号１１０は衛星５５により地域局または回路網分局６０に中継される。ビデオ要素に加えて、国営放送局５０により送信され地域分局６０により受信される信号１１０は、その回路網が前記ビデオデータ要素と結合した一般的メタデータ要素を含む。地域メタデータセンタ１４０は国営信号１１０に選択的に結合することのできる地域メタデータ１４２を格納する。メタデータ置換システム１００は地域局６０の近傍に配置され、国営信号１１０のメタデータ内容を監視する。メタデータ置換システム１００は国営信号１１０を視聴者７０に送る前に、地域メタデータ１４２を国営信号１１０に挿入すべきか否かを決定する。もし、メタデータ置換が発生すると、修正された信号１１０’が視聴者７０に送られ、その信号は該視聴者の都市、州、または地域に特有の地域メタデータ１４２を含んでいる。
【００２１】
図２はメタデータ置換システム１００を更に詳細に示す。メタデータ置換システム１００は一般に入力放送信号１１０と共に受け取るメタデータ内容を監視する。放送信号１１０はインターネット、ケーブル、衛星、または地球放送（ｔｅｒｒｅｓｔｒｉａｌ ｂｒｏａｄｃａｓｔ）の形の入力信号である。他の形の放送媒体もまた含まれる。放送信号１１０は２つの要素：ビデオデータ要素１１２とメタデータ要素１１４を含む。メタデータ置換システム１００はメタデータ要素１１４を地域版メタデータ（地域メタデータ）に置き換えるべきか否かを決める。代表的な分配の手順では、放送信号１１０に結合される原メタデータ要素１１４は、放送が受信され視聴者に分配される市場に特別に調整（ｔａｉｌｏｒｅｄ）された、特注（ｃｕｓｔｏｍｉｚｅｄ）の地域メタデータ１４２に置き換えられる。地域メタデータ１４２は地域メタデータセンタ１４０に格納されている。地域メタデータセンタ１４０は、地域または広域回路網、ハードディスク、または任意の数の他の既知の型式の格納設備または装置のような内蔵または別置きのデータ格納ユニットである。
【００２２】
メタデータ要素１１４は、全国的宣伝運動（例えば自動車広告）に関連する一般的情報材料、または放送に一般的に関連する他の任意の形の情報材料である。メタデータ要素１１４は放送信号１１０のビデオデータ要素１１２に直接関連する。この型式の全世界的に分配される全国的宣伝キャンペインは通常特定の都市領域または地理的領域用に調整された情報は含んでいない。従って、メタデータ置換システム１００は全国的自動車広告の全て、または一部を特定の都市領域を目標とした広告と入れ換えるのに使用される。地域レベルで含まれる情報は、地域価格や小売店配置を含む。
【００２３】
メタデータ置換システム１００はビデオ分配の最初の点（例えば図１の国営放送局５０）の下流の任意の点に位置することできる。例えば、メタデータ置換システム１００は地方テレビジョン回路網、地域テレビジョン回路網分局、地域ケーブルヘッド端末（ｃａｂｌｅ ｈｅａｄ ｅｎｄ）、またはインターネットサービス・プロバイダのような分配点に配置される。更に付加すれば、メタデータ置換システム１００は多重分配点（ｍｕｌｔｉｐｌｅ ｄｉｓｔｒｉｂｕｔｉｏｎ ｐｏｉｎｔｓ）に配置して、それにより縦続データ置換効果（ｃａｓｃａｄｉｎｇ ｄａｔａ ｓｕｂｓｔｉｔｕｔｉｏｎ ｅｆｆｅｃｔ）を得ることができる。図３はそのような構成を示す。国営放送局５０は放送信号１１０を発生する。その後、地方放送局５８は、放送信号を地方視聴者５９に分配する前にメタデータ置換システム１００を介して放送のデータを修正または置換する機会をもつ。修正された信号１１０’または最初の信号１１０の何れかが地方視聴者５９に放送される。同様に、地方放送局５８は最初の信号１１０を地域放送局６０または他の型式の下流の放送局に与えることができる。更に分配の流れを下って、地域放送局６０はそれ自身で、メタデータ置換ユニット１００ａを介して放送のデータを修正または置換する機会をもち、地域的に修正された信号１１０”を地域視聴者６１に送ることができる。地域放送局６０はまた最初の信号１１０を放送する裁量も持っている。この構成により、強化された内容は逐次目標とする視聴者に適応される。
【００２４】
再び図２を参照すると、メタデータ置換システム１００はストリッパ１３２、処理装置１３４、インサータ１３６、及び地域メタデータセンタ１４０を含む。総合的に、ストリッパ１３２、処理装置１３４、及びインサータ１３６は一般的にメタデータ置換要素を構成する。好ましくは、ストリッパ１３２、処理装置１３４、インサータ１３６の各々は適当なデータ端子をもち、データをメタデータ置換システム１００に送り、またはそれから取り出すことを容易にしている。
【００２５】
メタデータ置換システム１００の動作の第１の実施例が図４のフローチャートに図示され、図２の図面を参照して説明する。２０２で始まる放送信号１１０はビデオデータ要素１１２とメタデータ要素１１４の両者を含み、メタデータ置換システム１００により受け取られる。ビデオデータ要素１１２と対応するメタデータ要素１１４は回路網の特定の型式に依存する各種の形で受け取られる。１つの例において、ビデオデータ要素１１２はＮＴＳＣ方式でメタデータ要素（すなわち、通知、パッケージ及びトリガ）と共に送付され、垂直消去期間の各種の線にマップされる。
【００２６】
ビデオ放送信号１１０を受信した後、ストリッパ１３２は２０４においてメタデータ要素１１４をビデオ放送信号１１０から分離して、引き抜かれたメタデータ１３３と残りのビデオデータ１３５とにする。この処理は受信したビデオ放送信号１１０の型式に依存し、ストリッパ１３２は好ましくは各種の既知のデータ型式を認識し処理するように構成される。ついで、引き抜かれたメタデータ１３３は処理装置１３４に送られ、残りのビデオデータ１３５はインサータ１３６に送られる。
【００２７】
処理装置１３４は一般に２０６において引き抜かれたメタデータ１３３の置換を行うか否かを決定するように動作する。この決定はメタデータ要素１１４の発生源により画定される変数に依存する。その様な決定は、提起される置換データの型式に関係する通知とトリガの仕様により画定されるメタデータの性質に依存する。
【００２８】
１つの実施例において、置換の決定は搬送Ｂ通知に対する“Ａ”パラメータの新しい“ｔｖｅ”選択の仕様に依存する。これら及び他の変数とパラメータは先に本願に参照として組み込んだＡＴＶＥＦ仕様書に記載されている。これら新しい“ｔｖｅ”選択は下記の例に示される。
１．　Ａ ＝ｔｖｅ−地域挿入レベル：Ｘ
２．　Ａ ＝ｔｖｅ−地方：地方名
３．　Ａ ＝ｔｖｅ−ｉｄ：Ｘ
【００２９】
第１の例において、“ｘ”は優先レベルで、“１”が最高（上書きできない）で、“９９”が最低（常に上書き）である。この例において、処理装置１３４は引き抜かれた通知の優先レベルをそれ自身に割り当てられた優先値と比較する。もし、抽出された通知の優先レベルがそれ自身の優先レベルより低ければ、通知の置換が認められる。反対に、抽出された通知の優先レベルが高ければ、置換は許されないであろう。
【００３０】
第２の実施例において、置換決定は処理装置が作動する地理的領域に依存する。もし処理装置１３４が抽出された通知に名称の示された領域で作動しているならば、置換は認められる。処理装置が抽出された通知で作動していないなら、その反対である。
【００３１】
第３の実施例において、“ｘ”は独特のＩＤである。独特なＩＤの値がどの処理装置１３４が抽出された通知の置換を認められるかを決定する。１つの実施例において、この決定の処理は置換の実行が認められるＩＤのセットを画定するルックアップ表に基づいている。
【００３２】
別の実施例において、置換の決定は搬送型式Ａまたは搬送型式Ｂのトリガの新しい属性の選択（ａｔｔｒｉｂｕｔｅ ｏｐｔｉｏｎｓ）の仕様に基づくことができる。これら新しい属性の選択は次の定義：すなわちｌｏｃａｌＩｎｓｅｒｔＬｅｖｅｌ：ｉｎｔ，ｒｅｇｉｏｎ：ｓｔｒｉｎｇ， 及びｔｖｅＩＤ：ｓｔｒｉｎｇを含む。これら新しい属性の選択の各々は前述と同様の置換の決定処理を記述する。これらの属性は更に先に本願に参照として組み込んだＡＴＶＥＦの仕様書に画定されている。これらの例はそれで全てではなく、地域的に調整された埋込みメタデータ（ｅｍｂｅｄｄｅｄ ｍｅｔａ ｄａｔａ）を必要とする特定の分配構成を指定する別の選択も画定できる。
【００３３】
もし処理装置１３４が２０６において置換が認められると決定したなら、２０８において地域メタデータ１４２が地域メタデータセンタ１４０から検索される。ついで地域メタデータ１４２は２１０においてインサータ１３６に送られる。インサータ１３６は最終ビデオデータの流れ１１０’を発生し地域化された（ｌｏｃａｌｉｚｅｄ）分配チャネル１２０に出力される。２１４において、インサータ１３６は処理装置１３４から受け取った置換メタデータ１４２を前記残りのビデオデータ１３５に挿入する。挿入処理はビデオデータの特定の型式に依存し、インサータ１３６は好ましくは既知の各種のビデオ型式に適応するように構成されている。
【００３４】
或いは、もし処理装置１３４が２０６でメタデータ置換が許されないと決定したら、最初に抽出されたメタデータ要素１１４は２１２においてインサータ１３６に送られる。インサータ１３６は２１４において最初に抽出されたメタデータ１３３をビデオデータ１３５に戻して挿入する。或いは、最初に抽出されたメタデータを最初に受信したビデオ放送信号１１０の一部として残すことも可能である。この構成においては、メタデータが変更無しで残されている（すなわち、メタデータ置換が無い）ときは、最初に抽出されたメタデータ１３３をビデオデータの流れに再度挿入する必要は無い。かくして、この場合、インサータ１３６は単に最初にストリッパ１３２により受信された全ビデオ放送信号１１０を送り出すように作動するのみである。
【００３５】
置換メタデータ１４２が挿入された後、インサータ１３６は再パッケージされたビデオデータの流れ１１０’を２１６において地域化された分配チャネル１２０に出力する。データ置換により、調整された地域内容が最初に国営放送局より送られた特定目的の無い一般的内容に置換される。
【００３６】
本発明を上記記載及び図面で説明し図示したが、この説明は単に例示のためであり、当業者により多数の変形、修正が本発明の真の精神、範囲から逸脱することなくなし得ることは理解されるであろう。従って、本発明は添付の請求項及びその均等物による以外は制限されるべきでない。
【００３７】
（優先権）
本出願は２０００年３月３１日に出願された米国、仮出願第６０／１９３，４７０号の優先権を主張する。前記米国仮出願の内容を本願に参照として組み入れる。
【図面の簡単な説明】
【図１】図１は本発明に従って構成されたメタデータ置換システムを含む放送ネットワークのダイアグラムである。
【図２】図２は本発明に従って構成されたメタデータ置換システムの実施例である。
【図３】図３は本発明に従って構成されたメタデータ分配システムを示す放送フローチャートである。
【図４】図４はメタデータ置換プロセスを示すフローチャートである。
【図１】
2004507123.tif 000003
【図２】
2004507123.tif 000004
【図３】
2004507123.tif 000005
【図４】
2004507123.tif 000006
【国際公開パンフレット】
2004507123.tif 000007
2004507123.tif 000008
2004507123.tif 000009
2004507123.tif 000010
2004507123.tif 000011
2004507123.tif 000012
2004507123.tif 000013
2004507123.tif 000014
2004507123.tif 000015
2004507123.tif 000016
2004507123.tif 000017
2004507123.tif 000018
2004507123.tif 000019
2004507123.tif 000020
2004507123.tif 000021
2004507123.tif 000022
2004507123.tif 000023
2004507123.tif 000024
2004507123.tif 000025
2004507123.tif 000026
2004507123.tif 000027
2004507123.tif 000028
2004507123.tif 000029
【国際公開パンフレット（コレクトバージョン）】
2004507123.tif 000030
2004507123.tif 000031
【国際調査報告】
2004507123.tif 000032
2004507123.tif 000033
2004507123.tif 000034